(57)【要約】本発明は照明されるよう適合した折りたたみ式モジュールである。モジュールは折りたたみ位置と展開位置の間に配置することができるよう配列された折りたたみ式パネルを含む。照明はパネルに取り付けられ、且つ後者を照明しそこから投光するよう適合されている。また取り外し可能な形でパネル上にディスプレイポスターを取り付けることを可能にする機械的システムも有する。本発明は、照明されるよう適合された折りたたみ式ディスプレイシステムにディスプレイポスターを取り付けるための方法にも関する。
2006519417.tif 000002
【特許請求の範囲】
【請求項１】
照明されるよう適合した折りたたみ式モジュールであって、
折りたたみ位置と展開位置の間に配置することができるよう配列された折りたたみ式パネルと、
前記パネルを前記の展開位置に配置するための部材と、
前記パネルに取り付けられ且つこれを照明しそこから投光するよう適合された照明部材を含み、
使用時には前記パネルが前記展開位置に配列され且つ使用しないときには前記折りたたみ位置に配列されるよう構築および配列された折りたたみ式モジュール。 
【請求項２】
請求項１に記載された折りたたみ式モジュールであって、前記パネルが使用時に前記パネルを展開されて前記展開位置を取り且つ使用しないときには前記折りたたみ位置に折りたたまれるようにするのに適した部材を含む折りたたみ式モジュール。
【請求項３】
請求項２に記載された折りたたみ式モジュールであって、前記パネルが
多数のラスであって、各ラスが２つの横縁端を有し、１つのラスの少なくとも１つの縁端が隣接するラスの横縁端と並置されているラス、および
蝶番部材であって隣接する２つのラスの並置された縁端を接続し且つ前記パネルを前記の折りたたみ位置と展開位置のうち１つに配置するよう前記ラスが互いに関節を形成することを可能にする蝶番部材を含む折りたたみ式モジュール。
【請求項４】
請求項３に記載された折りたたみ式モジュールであって、前記のラスの個数が事前に定められた長さのパネルを得るように選択されている折りたたみ式モジュール。
【請求項５】
請求項１から４のいずれかに１つに記載された折りたたみ式モジュールであって、前記照明部材が少なくとも１つの蛍光管および１つの電球を含む折りたたみ式モジュール。
【請求項６】
請求項５に記載された折りたたみ式モジュールであって、前記照明部材が少なくとも１つの蛍光管を含む折りたたみ式モジュール。
【請求項７】
請求項６に記載された折りたたみ式モジュールであって、前記蛍光管を前記パネルの片側に横に取り付けるための部材を含む折りたたみ式モジュール。
【請求項８】
請求項３に記載された折りたたみ式モジュールであって、前記蝶番部材が隣接する各ラス上にその中に口径を有する蝶番部材を少なくとも１つ含み、前記隣接するラスの前記蝶番部材が前記蝶番部材の前記口径に挿入された少なくとも１つの棒と相互に接続し且つ１つのラスが互いに対して横に回転できるよう適合されている折りたたみ式モジュール。
【請求項９】
請求項３に記載された折りたたみ式モジュールであって、前記蝶番部材が前記横縁端の１つに配置された少なくとも１つの突起部材および並置された隣接するラスの横縁端に位置する対応する溝を含み、１つのラスが互いに対して横に回転できるよう前記突起部材が溝に挿入されるよう適合している折りたたみ式モジュール。
【請求項１０】
請求項１から９のいずれか１つに記載された折りたたみ式モジュールであって、前記モジュールを垂直に配置するための部材であって、前記配置部材が少なくとも１つのスタンドおよび表面の相当部分に前記モジュールを配置するための取り付け部材を有する部材である折りたたみ式モジュール。
【請求項１１】
請求項１から１０のいずれか１つに記載された折りたたみ式モジュールであって、展開位置にある前記パネル上にディスプレイポスターを取り外し可能な形で取り付けるための固定部材を含む折りたたみ式モジュール。
【請求項１２】
請求項１１に記載された折りたたみ式モジュールであって、前記照明部材が前記パネルと前記ディスプレイポスターの間に位置する折りたたみ式モジュール。
【請求項１３】
請求項１から１２のいずれか１つに記載された折りたたみ式モジュールであって、少なくとも１つの保護部材が前記照明部材を覆って取り付けられている折りたたみ式モジュール。
【請求項１４】
ディスプレイポスターをその上に取り付け且つこれを照明するための折りたたみ式ディスプレイシステムであって、
折りたたまれた位置と展開された位置の間に配置することができるよう配列された折りたたみ式パネルと、
前記パネルを前記の展開された位置に配置するための部材と、
前記パネルに取り付けられ、且つこれを照明しそこから投光するよう適合された照明部材と、
前記ディスプレイポスターを取り外し可能な形でパネルに取り付ける固定部材を含み、
使用する時には前記パネルが前記展開位置に配列され且つ使用しないときには前記折りたたみ位置に配列されるように構築および配置されている折りたたみ式ディスプレイシステム。
【請求項１５】
請求項１４に記載された折りたたみ式ディスプレイシステムであって、前記パネルが使用時に展開されて前記展開位置を取り且つ使用しないときには前記折りたたみ位置に折りたたまれるようにするための適当な部材を含む折りたたみ式ディスプレイシステム。
【請求項１６】
請求項１５に記載された折りたたみ式モジュールであって、前記パネルが
多数のラスであって、各ラスが２つの横縁端を有し、１つのラスの少なくとも１つの縁端が隣接するラスの横縁端と並置されているラス、および
蝶番部材であって隣接する２つのラスの並置された縁端を接続し且つ前記パネルを前記の折りたたみ位置と展開位置のうち１つに配置するよう前記ラスが互いに関節を形成することを可能にする蝶番部材を含む折りたたみ式モジュール。
【請求項１７】
請求項１６に記載された折りたたみ式モジュールであって、前記のラスの個数が事前に定められた長さのパネルを得るように選択されている折りたたみ式モジュール。
【請求項１８】
請求項１４から１７のいずれかに１つに記載された折りたたみ式モジュールであって、前記照明部材が少なくとも１つの蛍光管および１つの電球を含む折りたたみ式モジュール。
【請求項１９】
請求項１８に記載された折りたたみ式モジュールであって、前記照明部材が少なくとも１つの蛍光管を含む折りたたみ式モジュール。
【請求項２０】
請求項１９に記載された折りたたみ式モジュールであって、前記蛍光管を前記パネルの片側に横に取り付けるための部材を含む折りたたみ式モジュール。
【請求項２１】
請求項１６に記載された折りたたみ式モジュールであって、前記蝶番部材が隣接する各ラス上にその中に口径を有する蝶番部材を含み、前記隣接するラスの前記蝶番部材が前記蝶番部材の前記口径に挿入された少なくとも１つの棒と相互に接続し且つ１つのラスが互いに対して横に回転できるよう適合されている折りたたみ式モジュール。
【請求項２２】
請求項１６に記載された折りたたみ式モジュールであって、前記蝶番部材が前記横縁端の１つに配置された少なくとも１つの突起部材および隣接するラスに並置された横縁端に位置する対応する溝を含み、１つのラスが互いに対して横に回転できるよう前記突起部材が溝に挿入されるよう適合している折りたたみ式モジュール。
【請求項２３】
請求項１４から２２のいずれか１つに記載された折りたたみ式モジュールであって、前記モジュールを垂直に配置するための部材であって、前記配置部材が少なくとも１つのスタンドおよび表面の相当部分に前記モジュールを配置するための取り付け部材を有する部材である折りたたみ式モジュール。
【請求項２４】
請求項１４に記載された折りたたみ式モジュールであって、ディスプレイポスターおよび前記パネル上にディスプレイポスターを取り付けるための部材を含み、前記照明部材が前記パネルと前記ディスプレイポスターの間に位置する折りたたみ式モジュール。
【請求項２５】
請求項１４に記載された折りたたみ式モジュールであって、前記取り付け部材が前記ディスプレイポスターを前記パネル上に取り付ける際に弓形になるよう適合され、前記弓形が前記パネルと前記ポスターの間に光の分散のための空間を形成する折りたたみ式モジュール。
【請求項２６】
請求項１４に記載の折りたたみ式ディスプレイシステムであって、前記ディスプレイポスターが相当透明な材料からできている折りたたみ式ディスプレイシステム。
【請求項２７】
請求項２６に記載の折りたたみ式ディスプレイシステムであって、前記の相当に透明な材料がプラスチックである折りたたみ式ディスプレイシステム。
【請求項２８】
請求項１４に記載された折りたたみ式モジュールであって、前記ディスプレイポスター上に配置された広告媒体を含む折りたたみ式モジュール。
【請求項２９】
請求項１４から２８のいずれか１つに記載された折りたたみ式モジュールであって、少なくとも１つの保護部材が前記照明部材を覆って取り付けられている折りたたみ式モジュール。
【請求項３０】
ポスターを展示するための方法であって、
請求項１４から２９のいずれか１つに従って折りたたみ式ディスプレイシステムを提供すること、
パネルを展開された位置に設置することと、
ディスプレイポスターを提供することと、
固定部材を用いて展開位置にあるパネル上にポスターを取り付けることと、
照明部材に電源を提供すること、および
照明部材を電源と接続することを含む方法。
【発明の詳細な説明】
【技術分野】
【０００１】
本明細書は米国仮特許出願第６０／４５１，２７３号の優先権を主張し、その明細書は本明細書に参照文献として組み入れられる。
【０００２】
本発明は、照明されるよう適合された折りたたみ式モジュールおよび特にその上に透明ディスプレイポスターを取り付け且つ後者を背面から照明するための折りたたみ式モジュールに関する。また広げられた状態にある折りたたみ式モジュール上にディスプレイポスターを取り付けるための方法にも関する。  
【背景技術】
【０００３】
現在、時間、費用および空間を節約するための解決策を見いだすための我々の時間および空間力は限られている。企業は、常にその競合他社の前に出ることを可能にし且つその既存の製品を際だたせる新製品を探求している。展示者が利用できるマーケティングツールの中で、ディスプレイモジュールは疑いなく公衆に対する企業あるいはその製品の提示の重要な要因である。しかし、１つの展示またはセミナーから他へ移動するために多くの作業を要するので、展示者が選択するその広告媒体は限られる。従って、彼らは軽量でコンパクトなツールに関心を示す。さらに、広告媒体を設置するのに必要な時間はしばしばマーケティングツールを選択するための決定的変数となる。
【０００４】
現在、運搬と設置が容易なコンパクトスタンドシステムが入手可能である。しかし、これらのスタンドは好ましくない反射光を生じることによって見やすさが損なわれることのあるシステムによる直接照明を必要とする背景幕上の画像からなる頻度が高いので、提供する視覚的効果は限られている。
【０００５】
これらの不便さを軽減するために、背面照明システムが考案された。これらのシステムは、消費者の注意を集め且つ望まれない反射光を回避するという周知の長所を有するものの、重く、高価で且つ運搬および設置が困難である。
【０００６】
従って、運搬および設置が容易な支持体を得るためにコンパクトなシステムの長所と背面照明されたシステムのそれを合わせることが非常に望ましい。
【０００７】
さらに、持ち運びしやすく且つ強力な照明がしばしば必要とされる。既存のシステムは高価で、複雑で、運搬が困難である。さらに、現行の照明システムは硬く柔軟さがないので、ライトビームにより作り出される小さな効果を除いて万能ではない。
【発明の開示】
【発明が解決しようとする課題】
【０００８】
従って、本発明の目的は運搬および保管を容易にするためにコンパクト化することができ、且つ迅速に設置できる、照明されるよう適合した折りたたみ式モジュールを提供することである。
【０００９】
本発明の他の目的は、その上にディスプレイポスターを取り外し可能な状態で取り付け且つ背面照明できる、照明されるよう適合した折りたたみ式モジュールを提供することである。
【００１０】
本発明の他の目的は、周知且つ確立された製造技術によって容易に大量生産することのできる照明されるよう適合した折りたたみ式モジュールを提供することである。
【００１１】
本発明の他の目的は、軽量で運搬および保管が容易な照明されるよう適合した折りたたみ式モジュールを提供することである。
【課題を解決するための手段】
【００１２】
本発明は照明されるよう適合した折りたたみ式モジュールである。モジュールは：
折りたたみ位置と展開位置の間に配置することができるよう配列された折りたたみ式パネルと、
パネルを展開位置に配置するための部材と、
パネルに取り付けられ、且つこれを照明しそこから投光するよう適合された照明部材を含み、
使用時にはパネルは展開位置に配列され且つ使用しないときには折りたたみ位置に配列されるように構築および配列されている。
【００１３】
本発明の他の態様に従い、その上にディスプレイポスターを取り付け且つこれを照明するための折りたたみ式ディスプレイシステムが提供される。ディスプレイシステムは：
折りたたまれた位置と展開された位置の間に配置することができるよう配列された折りたたみ式パネルと、
パネルを展開された位置に配置するための部材と、
パネルに取り付けられ且つこれを照明し且つそこから投光するよう適合された照明部材を含み、
ディスプレイポスターを取り外し可能な形でパネルに取り付ける固定部材を含み、
使用時にはパネルは展開位置に配列され且つ使用しないときには折りたたみ位置に配列されるように構築および配列されている。
【００１４】
本発明の他の態様により、ポスターをディスプレイする方法が提供される。方法は：
本発明に従って折りたたみ式ディスプレイシステムを提供すること、
パネルを展開された位置に設置することと、
ディスプレイポスターを提供することと、
固定部材を用いて展開位置にあるパネル上にポスターを取り付けることと、
照明部材に電源を提供すること、および
照明部材を電源と接続することを含む。
【発明を実施するための最良の形態】
【００１５】
ここで本発明の実施態様は同じ番号が同じ部品を表す図面について記述されるであろう。
【００１６】
図１については、後で詳述するように、折りたたみ式モジュール２０は折りたたみ式パネル２２および接続部材２６によってパネル２２上に取り付けられている照明システム２４を含むことがわかるであろう。
【００１７】
図１と図４を同時に参照すると、パネル２２は主に２つの横縁端４２を有する複数のラス３０よりなることがわかるであろう。ラス３０の少なくとも１つの横縁端４２は隣接するラス３０の横断的縁に並置され且つ蝶番４４によりこれと接続されている。後で詳細に述べるように、蝶番４４により隣接する２つのラス３０が互いに旋回してパネルがコンパクトあるいは折りたたまれた状態に折りたたまれ取り扱いが容易になる。蝶番４４は当業者に周知であるいかなる種類の蝶番機構であってもよい。４つの蝶番４４については後で詳述する。望ましいパネルの長さを達成するまでラス３０を組み立てて蝶番４４を有する並置されたラス３０とする。好ましくは、ユーザーのニーズに従い蝶番４４を適合してラス３０を追加あるいは除去してパネル２２の長さを変更することを可能にする。
【００１８】
ラス３０は、好ましくはプラスチックのような薄く硬い材料、アルミニウムなどのシート状金属などより形成される。ラス３０の形状、材料およびサイズはユーザーのニーズにより変動する。典型的には、ラス３０は製造費を軽減するために押し出しあるいは型抜き工程で製造される。
【００１９】
図１では、照明システム２４はラス３０に取り付けられた蛍光管４６を含む。望みの効果とパネル２２の長さに応じて照明システム２４の蛍光管４６の本数を変更することができる。
【００２０】
図１および２を同時に参照すると、広告の目的のために、ディスプレイポスター４８をパネル２２の正面に取り外し可能な形で取り付けることにより折りたたみ式モジュール２０をディスプレイシステムに変換できることがわかるであろう。ポスター４８はパネル２２の両側の２つの縁端５２に位置する固定部材５０に契合される。各固定部材５０は本発明の範囲を外れることなく使用することが可能である。そのうち２つについては後で詳述する。
【００２１】
好ましくは、ポスター４８はポスター４８を通過するために照明システム２４によって光が生成されることを可能にするために、可撓性材料、特に透明な可撓性プラスチックによって製造される。ポスターの不透明度は望みの効果に応じて適合することができる。より白濁した材料を用いればより均一な光の分布が得られる一方で、より透明なポスターを用いればより高い輝度が得られる。当業者は、広告メッセージを直接ポスター４８あるいは他の異なる支持材の上にあるいは接着剤またはクリップによってポスター４８上に取り付けられたスライド（示さず）などの広告媒体上に書くことができることを理解するであろう。
【００２２】
図１と図２を同時に参照すると、ポスター４８の幅は好ましくはパネル２２よりも広く、固定部材５０でパネル２２に固定されるとき弓形をとる。弓形形状によりパネル２２とポスター４８の間に空間５４が作られ光の分散を均等化する。本実施例では蛍光管４６を含んでいる照明システム２４は、パネル２２とポスター４８の間の空間５４に位置する。空間５４は照明システム２４による熱の蓄積も軽減する。好ましくは、パネル２２およびポスター４８は美観的な理由により同じ高さを有する。
【００２３】
図２において固定部材５０は、パネル２２の両側縁端５２からなるラス３０の長縁端５８に位置する２つの内側に曲がった縁端５６からなる。曲がった縁端５６および曲がった縁端５６に隣接するラス３０の平坦な部分は、ポスター４８の縁端６２が挿入されるＶ字型６０を作る。ポスター４８の２つの対側縁端６２は対側のＶ字型６０に挿入され、ポスター４８の幅がパネル２２よりも広く且つパネル２２に固定されると弓形になるためその中で力を受けて支持される。固定部材５０はパネル２２の縁端５２に沿って続くか、または縁端５２にそっておのおのまたはいくつかのラス３０の上にある多くのＶ字型６０となることがある。当業者が評価すると思われるように、固定部材５０は、本発明の範囲を超えることなく、パネル２２のいずれかの対側縁端５２の対の上に位置することができる。ポスター４８はパネル２２の一方の端に挿入されてポスター４８がパネル２２の望みの位置を取るまでＶ字型６０の中に滑り込む。好ましくは、図５に見られるように、曲がった縁端５６は台形となってパネル２２の折曲げを容易にする。
【００２４】
照明システム２４にはスターター（示さず）、特殊な変圧器であるバラスト７２および蛍光管４６が含まれる。蛍光管４６は２つの連結部材２６の間のラス３０に取り付けられ、ラス３０に接着、溶接されているかまたはラス３０から突き出しているかラス３０に係留されている。蛍光管４６はラス３０上で横に配置され直列または並列に接続される。スターター、バラスト７２および蛍光管４６はワイヤで適切に接続される（示さず）。アウトレット（示さず）を伴う電源ケーブル（示さず）は照明システム２４に電源を提供する。適当な照明を提供しモジュール２０が容易に折りたためるようにするためには、蛍光管４６が好ましくは均一にラス３０の上に置かれる。例えば、ラス３本ごとに蛍光管４６を１本配置する。蛍光管４６のための電源プラグ（示さず）は各連結部材２６に内向きに取り付け、且つワイヤに適当に連結される。蛍光管４６のピン（示さず）を電源プラグに挿入して電気的に接触させ且つ蛍光管４６をパネル２２上に載せる。蛍光管４６は、本発明の範囲を外れることなく、狭いまたは広い間隔で配置することが可能であり、且つスターターおよびバラスト７２はパネルまたは別の部材のいずれかの上に置くことができることが、当業者によって理解されるであろう。さらに、照明システム２４は蛍光管４６の代わりに１つ以上のスターターまたは電球（示さず）を装備されることもできる。
【００２５】
図３および４は、第１のラス３２がラス３２に並置された第２のラス３４に対して旋回できるようにする第１の蝶番４４’を示している。同様に、ラス３４および３６はともに旋回し、また２つの蝶番４４’は同一であり、１つについてのみ詳述、すなわちラス３２および３４を接続するもののみ詳述する。ラス３２，３４，３６，３８および４０は平坦な背面８０，その中にチャネル８６を有する突き出した部材８４を有する正面８２，およびそこから延長する蝶番部材８８を有する２つの対側縁端４２ａ，４２ｂを有する。蝶番部材８８はその中に横断的に延びる内径９０を有する。チャネル８６の内部に突き出している部材８４は照明システム２４のワイヤを隠すのに用いられる。これによりワイヤはユーザーから見えることなく同時にワイヤが損傷する可能性を低減しながら照明システム２４に電気を供給する。蛍光管４６のための部材２６の接続は突起部材８４の上に配置される。多数の蝶番部材８８はラス３１，３４の２つの横縁端４２ａ，４２ｂに交互に配置されている。ラス３２および３４上の蝶番部材８８は同一であるので、一方のみを記載する。横縁端４２ａに沿って、各蝶番部材８８は最も近い蝶番部材８８と陥凹空間９２によって分離される。従って、蝶番部材８８と陥凹空間９２は横縁端４２ａの上で交互に並んでいる。好ましくは、蝶番部材８８と陥凹空間９２は同じ長さを有する。反対側の横縁端４２ｂ上には蝶番部材８８と中空空間９２が同様に交互に配置されている。しかし、横縁端４２ａ上の蝶番部材８８は横縁端４２ｂ上の中空空間９２に面し、また逆に横縁端４２ａ上の蝶番部材８８は横縁端４２ｂ上の中空空間９２に面する。ラス３２，３４はラス３２の蝶番部材８８をラス３４の中空空間に挿入し、また逆にラス３４の蝶番部材をラス３２の中空空間に挿入することで組み立てられる。ラス３２の横縁端４２ｂの蝶番部材８８の内径９０はラス３２に隣接するラス３４の横縁端４２ａ上の蝶番部材８８の内径９０に面し、棒（示さず）が挿入される連続チャネルを形成する。棒はラス３２，３４を繋ぎ、ラス３２，３４が互いに対して旋回する動きを可能にする。蝶番４４’はラス３２，３４，３６，３８，および４０の横縁端４２ａ，４２ｂの全長あるいは一部分のみに位置することができる。
【００２６】
また蝶番部材８８はそこからラス３０の中心に向かって内側に延びた歯９６も有する。歯９６，蝶番部材８８および正面８２はフック９８を形成する。フック９８は２つのパネル２２ａ，２２ｂの接続に用いることができる。図３を参照すると、末端ラス３６を有するパネル２２ａはラス３８を通じて末端ラス４０を有するパネル２２ｂと接続することがわかるであろう。ラス３８はラス３６と４０の間で、ラス３６および３８の並置された横縁端４２のフック８８が互いに挿入され、かつ同様にラス３８と４０の並置された横縁端４２のフック９８が互いに挿入され、パネル２２ａとパネル２２ｂを共に支えるように、逆向きに位置している。フック９８によりモジュール２０の長さを容易且つ迅速に変更することができる。
【００２７】
さらに図３と４を参照すると、保護部材１０６はモジュール２０を取り扱う際の破損を防止するために蛍光管４６の上に位置する。保護部材１０６は、蛍光管４６の上のラス３０上に取り付けられた台形を有する硬い透明なプラスチックからなる。保護部材１０６の縁端１０８はラス３０のフック９８に挿入される。保護部材１０６の形状（台形、半円形、正方形など）、材料および取り付け法（係留、接着、挿入、契合など）は本発明の範囲を外れることなく改変することができる。
【００２８】
図５は、第１のラス３２がラス３２に並置された第２のラス３４に対して旋回できるようにする蝶番４４”を示している。蝶番４４”は、第１の横縁端４２ａから突き出しているJ字型部材１１２、および横縁端４２ａの対側にある第２の横縁端４２ｂ上に位置する突き出したフック部分（示さず）を有するくぼみ１１４よりなる。J字型部材１１２および陥凹１１４は互いに向き合っている。ラス３２および３４を組み立てるために、ラス３４のJ字型部材１１２はラス３２のくぼみ１１４のフック部分に挿入される。ラスを適切に組み立てるために、ラス３２，３４の横縁端４２は好ましくは蝶番４４”を２つ以上有する。
【００２９】
蝶番４４は、第１の横縁端４２ａから突き出したJ字型部材１１２および第２の横縁端４２ｂの上で且つJ字型部材１１２の下に位置するスロット（示さず）よりなることも可能である。これにより、ラス３２，３４がともに組み立てられるときに、ラス３４のJ字型部材１１２がラス３４に並置されるラス３２のスロットに挿入できるようになる。蝶番４４”についてのように、ラスを適切に組み立てるために、ラス３２，３４は好ましくは蝶番４４を２つ以上有する。蝶番４４はラス３０の長軸方向に取り付けられた少なくとも１つのプラスチックバンド（示さず）から構成されることも可能である。このプラスチックバンドはラス３０を組み立て、さらにラス３０が互いに対して旋回できるようにすることでパネル２２が折りたたまれた状態あるいは展開された状態をとれるようにする。
【００３０】
今度は図６を参照すると、ポスター４８のために交互に置かれた固定部材５０’はラス３０の上のパネル２２の１つの長縁端５２を契合するのに用いることができる。固定部材５０’は縁端５２上に契合された契合部分１２０、およびその中でポスター４８の縁端６２が挿入されるその中に狭い溝１２４を有するクランプ１２２を有する。契合部分１２０に対するクランプ１２２の向きはポスター４８の曲率を決定する。固定部材５０’がパネル２２の縁端５２にそって延長され且つ後者と垂直にラス３０に契合される場合、固定部材５０’は展開状態にあるパネル２２を補強する。固定部材５０’は、パネル２２を展開状態と折りたたみ状態の間で移行させる前にパネル２２の縁端５２から取り外さなければならない。接着剤あるいは機械的クリップとなどの他の固定部材は、本発明の範囲から外れることなく、パネル２２上にポスター４８を取り付けるのに使用することが可能である。
【００３１】
図７を参照すると、本発明の他の実施態様においては、折りたたみ式パネル２２２が多数のラス部材２３０を含むことがわかるであろう。パネル２２についてと同様に、各パネル２２２は２つの横縁端２４２を有し、且つラス２３０部材の少なくとも１つの横縁端２４２が隣接するラス２３０の横縁端２４２に並置され且つ蝶番によってこれに接続されている（示さず）。図８に示すように、取り扱いを容易にするためにパネルをコンパクトまたは折りたたまれた状態に折りたためるようにすることを目的として、蝶番によって隣接する両ラス２３０が互いに対して旋回することを可能にする。ラス部材２３０は、パネル２２２の折曲げを容易にするために内側に傾いた２つの側縁端面２４４を有する。照明システム２２４はラス部材２３０内に配置され且つその内部に照明を提供し且つそこから投光する。
【００３２】
図９を参照すると、本発明の他の実施態様においては、折りたたみ式パネル３２２は多数のラス部材３３０，３３２を含むことがわかるであろう。パネル２２２についてと同様に、ラス部材３３０，３３２は蝶番３４６によって互いに接続された２つの側縁端面３４４を有する。蝶番３４６は、ラス３３２の側縁端面３４４の横縁端３４２ａの軸として接続された第１の縁端３５０およびラス３３０の側縁端面３４４の横縁端３４２ｂの軸として接続された第２の縁端３５２を有するプレート３４８からなる。横縁端３４２ａ、３４２ｂは向かい合っているので、プレート３４８はラス３３０，３３２の対角線上に配置されている。両側縁端面３４４はその上に取り付けられた磁石３５４を有する。ラス３３０，３３２の磁石３５４は互いに結合され、且つこれにより非折りたたみ位置にあるパネル３２２が補強される。
【００３３】
モジュール２０はスタンドあるいは壁に配置するよう適合されている。従って、アイレット（示さず）またはパネル２２を壁に配置するのに使用できる他の適当な固定器具をパネル２２に取り付けることができる。スタンドを使用する場合、パネルは展開されると自立する。スタンドは、好ましくはモジュールとともに運搬するのが容易になるように取り外し可能で、コンパクトで且つ軽量である。
【００３４】
それに対する数多くの改変が当業者に公表されることが理解されるであろう。例えば、パネルはラス上に２つ以上の蛍光管または電球を有することが可能である。パネルはその上に照明システムが取り付けられ、且つ使用しないときには折りたたまれ且つ使用時には展開されることができる１枚のプラスチックであることも可能である。従って、上記の記載および付属の図面は本発明を例示するものととらえるべきであって制限的な意味でとらえるべきではない。一般的に本発明の原則に従い、且つ、本発明が関係する技術の内部で周知となるあるいは習慣となるような、および発効前に本明細書において重要な特性に適用することができるような、および以下の付属の請求項の範囲内である本発明からのこのような逸脱を含む本発明のあらゆる変法、用途または適合を対象とすることを意図していることがさらに理解されるであろう。
【００３５】
これらおよび本発明の他の特徴、態様および長所は、以下の記述と付属の図面に関してよりよく理解されるであろう。添付した図面を通して同じ参照番号により同じ特徴が識別されることに気付くであろう。
【図面の簡単な説明】
【００３６】
これらおよび本発明の他の特徴、態様および長所は、以下の記述と付属の図面に関してよりよく理解されるであろう。添付した図面を通して同じ参照番号により同じ特徴が識別されることに気付くであろう。
【図１】本発明の好ましい実施態様に従って照明されるよう適合された折りたたみ式モジュールの正面図であって、ディスプレイポスターがその上に取り付けられている図である。
【図２】本発明に従って照明されるよう適合された折りたたみ式モジュールの上から見た平面図である。
【図３】本発明に従って照明されるよう適合した折りたたみ式モジュールよりポスターを取り除いた側面図である。
【図４】本発明によるラスの断片的透視図である。
【図５】本発明による交互に配置された蝶番機構である。
【図６】本発明に従って照明されるよう適合した折りたたみ式モジュール上にあるディスプレイポスターのための固定システムの拡大側面図である。
【図７】本発明の他の実施態様に従って照明されるよう適合した折りたたみ式モジュールの透視図である。
【図８】本発明の他の実施態様による折りたたみ式モジュールの透視図である。
【図９】本発明の他の実施態様による蝶番の側面図である。
【図１】
2006519417.tif 000003
【図２】
2006519417.tif 000004
【図３】
2006519417.tif 000005
【図４】
2006519417.tif 000006
【図５】
2006519417.tif 000007
【図６】
2006519417.tif 000008
【図７】
2006519417.tif 000009
【図８】
2006519417.tif 000010
【図９】
2006519417.tif 000011
【国際調査報告】
2006519417.tif 000012
2006519417.tif 000013
2006519417.tif 000014